(57)【要約】      （修正有）【課題】内部洗浄を容易かつ確実に行なうことのできる空調用室内機を提供する。【解決手段】この空調用室内機は、空気吸込口２１と空気吹出口２８を有する本体ケーシング８内に形成された通風路内に、複数のフィンで通風可能に形成された熱交換器９と送風機１０とが収容され、通風路が熱交換器９を境に空気入側の１次側空間１９と空気出側の２次側空間２０とに区画され、熱交換器９の下方に熱交換器９で生じたドレン水を受けるドレンパン２２が配置されており、熱交換器９の洗浄の際に１次側空間１９から吹き付けられた洗浄水Ｗにより、フィンに付着していた夾雑物が２次側空間２０に洗い流されるようになっているものにおいて、熱交換器９の下端部９Ａとドレンパン２２との間に、洗い流された夾雑物を通すための、１次側空間１９と２次側空間２０とを連通する隙間部が設けられている。【選択図】図３
2013245851.tif 000002
【特許請求の範囲】
【請求項１】
空気吸込口と空気吹出口を有する本体ケーシング内に、前記空気吸込口と前記空気吹出口とを連通する通風路が形成され、前記通風路内に、複数のフィンで通風可能に形成された熱交換器と送風機とが収容され、前記通風路が前記熱交換器を境に空気入側の１次側空間と空気出側の２次側空間とに区画され、前記熱交換器の下方に前記熱交換器で生じたドレン水を受けるドレンパンが配置されており、前記熱交換器の洗浄の際に前記１次側空間から吹き付けられた洗浄水により、前記フィンに付着していた夾雑物が前記２次側空間に洗い流されるようになっている空調用室内機において、前記熱交換器の下端部と前記ドレンパンとの間に、前記洗い流された夾雑物を通すための、前記１次側空間と前記２次側空間とを連通する隙間部が設けられていることを特徴とする空調用室内機。
【請求項２】
隙間部を開閉可能に封止する蓋部材を備えていることを特徴とする請求項１に記載の空調用室内機。
【請求項３】
蓋部材に、２次側空間に洗い流された夾雑物を捕集する捕集部材が取り付けられていることを特徴とする請求項２に記載の空調用室内機。
【請求項４】
蓋部材がヒンジ部材を介して熱交換器の下端部に揺動自在に取り付けられ、更に前記蓋部材が前記ヒンジ部材に対し着脱可能に取り付けられていることを特徴とする請求項２または請求項３に記載の空調用室内機。
【発明の詳細な説明】
【技術分野】
【０００１】
この発明は、被空調室内の床上などに設置されて冷房や暖房を行う、冷凍サイクル装置の空気用室内機に係り、更に詳しくは、搭載している熱交換器のメンテナンスや清掃を手軽に行なうことのできる空調用室内機に関するものである。
【背景技術】
【０００２】
従来、この種の空調用室内機は、被空調室内の設置条件によっては衛生面で常に清潔にしておかなければならないなどの理由から、機内の各部品を定期的に洗浄することが望まれる場合がある。特に、冷媒回路の一構成部品である熱交換器は、フィン間を空気が流通するために汚れやすく、水などを用いた洗浄が望まれている。しかしながら、従来の床置き型空調用室内機では熱交換器の下方に、熱交換器で除湿されたドレン水を受けて排水し、かつ、熱交換器の空気流入側と空気流出側とを仕切るドレンパンが、熱交換器の底面と接する配置に取り付けられている。
【０００３】
このような空調用室内機において、熱交換器の洗浄を空気流入側から洗浄水を吹き付けて実施すると、熱交換器に付着していた夾雑物が熱交換器の空気流出側に押し流され、熱交換器の背面下部に滞留するという不具合を生じる。また、上記のように滞留した夾雑物の一部であって熱交換器のフィン間の間隔よりも小さいものや、熱交換器の表面に付着していた夾雑物が、ドレンパン上に流れ落ち、空調用室内機に接続されている排水管を詰まらせるという不具合を生じることもある。あるいは、熱交換器上方の空気流出側に配置されている送風機を洗浄した場合においても、夾雑物が混ざった排水が熱交換器の空気流出側に落ちるため、上記と同様の不具合が生じる。
【０００４】
そこで、下記の特許文献１には、熱交換器の洗浄に関する開示がなされている。また、下記の特許文献２には、送風機の洗浄に関する開示がなされている。
【先行技術文献】
【特許文献】
【０００５】
【特許文献１】特開２００６−１０１７８号公報
【特許文献２】特開２００６−１０１７７号公報
【発明の概要】
【発明が解決しようとする課題】
【０００６】
ところで、上記特許文献１記載の空調用室内機は、熱交換器からのドレン水を受ける中板が、熱交換器の底面に平行に密着した配置で設置されており、熱交換器の上流側空間と下流側空間とを仕切っている。このような構成において、メンテナンスパネルを取り外し、熱交換器の上流側空間からホースなどで洗浄水を吹き付けて熱交換器を洗浄した場合、熱交換器のフィン間に付着していた夾雑物は、熱交換器の空気流出側に押し流され、傾斜した熱交換器の下部に滞留するという問題が生じる。
【０００７】
また、熱交換器の表面に付着した夾雑物は、一部は洗浄水の勢いによりフィン間を通り熱交換器の空気流出側に押し出されて上記の位置に滞留するが、一部は熱交換器の表面から中板上に落ち、受けドレン誘導管を通ってドレン排水口に流れる。このような構成においては、中板上に落ちた夾雑物が洗浄水とともに排水されるため、ドレン誘導管やドレン排水口に接続された排水管を詰まらせることになり、排水不良につながるという問題がある。
【０００８】
一方で、特許文献２に記載された空調用室内機は、送風機のファンケーシングに設けられた開口パネルを数本のねじを弛めて取り外し、ファンケーシング内のファンローターを露出できるようになっている。このような構成において、メンテナンスパネルを取り外し、ファンケーシングの開口から、ホースなどで水をかけてファンローターを洗浄する場合、ファンケーシングの開口が熱交換器の上方にあるため、夾雑物を含む洗浄水は熱交換器の空気流出側に流れ落ちるので、上記と同様に、傾斜した熱交換器の下部に夾雑物が滞留するなどの問題点がある。
すなわち、以上のような夾雑物の滞留は、夾雑物の中の雑菌などが繁殖して異臭の原因にもなり、特に食品工場などに設置される空調用室内機は、衛生面で常に清潔にしておく必要があり、ユーザーからは内部洗浄を容易かつ確実に行なえる空調用室内機の提供が切望されていたのである。
【０００９】
この発明は、上記のような課題を解決するためになされたもので、第１の目的は、内部洗浄を容易かつ確実に行なうことのできる空調用室内機を得るものである。
【課題を解決するための手段】
【００１０】
上記目的を達成するために、本発明に係る空調用室内機は、空気吸込口と空気吹出口を有する本体ケーシング内に、空気吸込口と空気吹出口とを連通する通風路が形成され、通風路内に、複数のフィンで通風可能に形成された熱交換器と送風機とが収容され、通風路が熱交換器を境に空気入側の１次側空間と空気出側の２次側空間とに区画され、熱交換器の下方に熱交換器で生じたドレン水を受けるドレンパンが配置されており、熱交換器の洗浄の際に１次側空間から吹き付けられた洗浄水により、フィンに付着していた夾雑物が２次側空間に洗い流されるようになっている空調用室内機において、熱交換器の下端部とドレンパンとの間に、洗い流された夾雑物を通すための、１次側空間と２次側空間とを連通する隙間部が設けられていることを特徴とするものである。
【発明の効果】
【００１１】
この発明に係る空調用室内機は、熱交換器の下端部とドレンパンとの間に、１次側空間と２次側空間とを連通する隙間部が設けられているので、水などの洗浄水の吹き付けにより熱交換器や送風機を洗浄した際に２次側空間側に押し流された夾雑物を、隙間部を通して、前面側である１次側空間のドレンパン上に取り出すことができる。従って、作業を行ないやすい前面側から容易かつ確実に内部洗浄を行なうことができる。加えて、隙間部を開閉可能に封止する蓋部材を備えているものでは、運転中に１次側空間の空気が隙間部を経て２次側空間へショートリークすることを防止できる。
【図面の簡単な説明】
【００１２】
【図１】この発明の実施の形態における空調用室内機の前板を取り外した状態を示す正面図である。
【図２】前記空調用室内機の左側の側版を取り外した状態を示す側面図である。
【図３】前記空調用室内機の内部洗浄状態を示す左側から見た側面図である。
【図４】図３における円Ａ内を拡大して示す拡大詳細図である。
【図５】前記空調用室内機における熱交換器の下方を洗浄水が流れる様子を示す側面説明図である。
【図６】前記空調用室内機における熱交換器の下方で夾雑物を捕集する様子を示す側面説明図である。
【図７】前記空調用室内機における熱交換器から蓋部材を取り外した様子を示す側面説明図である。
【図８】前記空調用室内機における熱交換器で夾雑物を捕集する別の様子を示す側面説明図である。
【図９】前記空調用室内機における熱交換器に薄ゴム板製の蓋部材を取り付けた状態を示す空気吸入側の１次空間から見た部分斜視図である。
【図１０】前記空調用室内機における熱交換器が蓋部材および捕集部材を備えていない状態を示す側面説明図である。
【発明を実施するための形態】
【００１３】
以下、本発明の実施形態を図面に基づいて説明する。
実施の形態１．
図１は本発明の一実施形態に係る空調用室内機の前板を取り外した状態を示す正面図、図２は前記空調用室内機の図面に向かって左側の側板を取り外した状態を示す側面図である。
各図において、この実施形態に係る空調用室内機１は、左右の側板２，３と、左右の側板２，３上に支持される天板４と、背板５と、前板６と、底板７とから直方箱状に形成された本体ケーシング８を備えている。これらの側板２，３、背板５、前板６、および底板７は、それぞれの間に支柱材や横枠材を適宜介在させてビスなどで固定されている。本体ケーシング８内は、ケーシング前面下部の空気吸込口２１とケーシング上面の空気吹出口２８とを連通する通風路になっている。この通風路内には、汎用の空調用冷媒回路（図示省略）の一構成部品である熱交換器９が、前側を高くした傾斜姿勢で設置されている。この熱交換器９を境に、本体ケーシング８内の通風路が、空気入側の１次側空間１９と空気出側の２次側空間２０とに通風可能に区画されている。そして、本体ケーシング８内で熱交換器９の下方位置には、熱交換器９の表面で生じたドレン水を収受するドレンパン２２が配備されている。前記した通風路内の空気吹出口２８近傍には、送風機１０が配備されている。
【００１４】
ドレンパン２２と熱交換器９との配置構成は、板金で構成された高さ５０ｍｍ程度の土台板２７（図９参照）をドレンパン２２上に立設し、土台板２７上に熱交換器９の側板部９Ｂを乗せて固定することにより、図３に示すように、ドレンパン２２と熱交換器９の下端部９Ａとの間に、１次側空間１９と２次側空間２０とを連通する隙間部４０が形成される。この隙間部４０は、熱交換器９のフィン９ｃ，９ｃ間や送風機１０に付着していて洗い流されたごみなどの夾雑物Ｋを通すためのものであり、夾雑物Ｋの大きさ、および熱交換器９下部の清掃を考慮したものである。このような隙間部４０の隙間幅（上下幅）は、例えば熱交換器９の隣合うフィン９ｃ，９ｃ間の隙間よりも大きければ十分であるが、運転時において１次側空間１９の空気が隙間部４０を経て２次側空間２０へショートリークすることを最小限に防止できる、例えば５〜１２ｍｍ程度にすることが望ましい。
【００１５】
その他の構成要素として、符号の１０は送風機、１１は送風機の駆動部、１２はファン本体ケーシング、１２Ａは送風機１０の吸込口、１３はファンの回転軸、１４は回転軸１３を支持する軸受、１５はファンプーリ、１６はモータプーリ、１７はベルト、１８は軸受１４を支持する支持脚、２３は冷媒配管、３２は冷媒配管設置空間部、２４は冷媒配管設置空間部３２を被う蓋体、２５は冷媒配管設置空間部３２の上部を被うカバー、２６は電気品箱、３３は電動機、３４は冷媒配管挿通部、をそれぞれ示している。
【００１６】
そして、図４に示すように、更に熱交換器９の下端部９Ａの頂点に、蓋部材２９がヒンジ部２９ａを介して前後揺動自在に取り付けられている。この蓋部材２９は熱交換器９におけるフィン９Ｃ，９Ｃの整列方向の全面にわたって配置されており、隙間部４０を開閉可能に封止するようになっている。この蓋部材２９は、空調用室内機１の運転時にほぼ大気圧である１次側空間１９から、負圧になっている２次側空間２０へ流れる吸込空気が、熱交換器９のフィン９Ｃ，９Ｃ，９Ｃ，・・・間を通過せずに熱交換器９下方の隙間部４０からショートリークするのを防止するために設けられている。そして、蓋部材２９は、その揺動先端部がドレンパン２２上面の傾斜面に当接することで、前述の隙間部４０を塞ぐようになっている。空調用室内機１の運転中は、１次側空間１９と２次側空間２０との圧力差により、蓋部材２９は２次側空間２０に向かって押されドレンパン２２の上面に当接して止まる。一方、空調用室内機１の停止中は、前述した圧力差がなくなるため、蓋部材２９はヒンジ部２９ａを中心に揺動可能な状態となる。
【００１７】
熱交換器９の洗浄の際には、図３に示すように、１次側空間１９から吹き付けられた洗浄水Ｗにより、それまでフィン９ｃ，９ｃ間に付着していた夾雑物Ｋが２次側空間２０に洗い流される。夾雑物Ｋは２次側空間２０側に落下し、２次側空間２０における熱交換器９の下部と背板５とドレンパン２２との間に至るが、その部位に滞留することはなく、洗浄水Ｗとともに熱交換器９下方の隙間部４０を通過して１次側空間１９側のドレンパン２２上に排出される。そして、図４に示すように、蓋部材２９は、洗浄時に２次側空間２０から隙間部４０を流れてくる洗浄水Ｗによって、ヒンジ部２９ａを中心として揺動し隙間部４０を開く。このように蓋部材２９が開閉することで、ドレンパン２２の排水口２２ａへの導水が確実にできる。
【００１８】
実施の形態２．
次に、２次側空間２０に洗い流された夾雑物Ｋを捕集するようにした実施の形態２を図５および図６により説明する。
すなわち、蓋部材２９の揺動先端部に、側面視でＬの字形状の捕集部材３０がヒンジ部２９ｂを介して前後揺動自在に取り付けられている。このような３０を設けたことで、洗浄水Ｗを隙間部４０から排出する際に、洗浄水Ｗ中に混在している夾雑物Ｋを捕集することができる。この捕集部材３０は耐食性を有する鋼線を格子状に編んだものであり、メッシュ穴の開き目の例えば一辺は約０．８ｍｍ程度である。
【００１９】
このように構成することで、熱交換器９の洗浄に用いた洗浄水Ｗの量に応じて、蓋部材２９の先端部２９ｂとドレンパン２２との隙間が可変になるので、２次側空間２０側のドレンパン２２上に洗浄水が溜まりすぎて溢れるということはない。同時に、排水中の夾雑物Ｋを捕集部材３０により捕集することで、夾雑物Ｋがドレンパン２２の排水口２２ａへ流出することがないので、空調用室内機１に接続されたドレン排水管（図示省略）での夾雑物詰まりを防止することができる。
【００２０】
また、捕集部材３０は側面視でＬの字形状に形成されているので、熱交換器９を洗浄する洗浄水Ｗが多量の場合であっても、捕集部材３０の先端平面は、ドレンパン２２の傾斜面に沿って固定される。これにより、捕集部材３０とドレンパン２２との間に隙間を生じることがなく、夾雑物Ｋを確実に捕集することができる。蓋部材２９と捕集部材３０を揺動自在に支持しているヒンジ部２９ｂに、捕集部材３０をある一定の角度（図６では蓋部材２９と捕集部材３０の成す角度θが直角）以上開かせないような機構を設けると、前述の捕集部材３０とドレンパン２２との隙間を、より確実に塞ぐことができる。
【００２１】
また、図７に示すように、蓋部材２９における熱交換器９側の端部には、ヒンジ部材２９ａの揺動片２９ｄに着脱可能に取り付けられる取付け部２９ｃが形成されている。このように、蓋部材２９をヒンジ部２９ａに対して着脱可能に構成すれば、熱交換器９の真下位置のドレンパン２２上に排出された夾雑物Ｋの清掃を、熱交換器９の作業しやすい正面側（１次側空間１９側）から容易に行なうことができる。そのうえ、蓋部材２９自体の清掃も容易になるから、常に清潔に保つことができる。
更には、蓋部材２９と捕集部材３０とを連結するヒンジ部２９ｂとして、抜差し蝶番などを用いて着脱可能に構成すれば、空調用室内機１の１次側空間１９から、捕集部材３０を取り外すことができ、捕集した夾雑物Ｋの廃却や、捕集部材３０の洗浄が容易となり、常に清浄に保つことが可能となる。
【００２２】
実施の形態３．
次に、熱交換器９の１次側空間１９側に洗い出された夾雑物Ｋも捕集するようにした捕集部材を示す実施の形態３を図８により説明する。
この捕集部材は、実施形態２で示した捕集部材３０と、ヒンジ部２９ｂの取付け位置を境として前後対称形状に形成された捕集部材３１とを一体に構成したものであり、全体が側面視でコの字状に形成されている。このように捕集部材３０と捕集部材３１が一体になっている捕集部材は、ヒンジ部２９ｂを介して前後揺動自在に蓋部材２９に取り付けられている。捕集部材３１は鋼線を格子状に編んだものでありメッシュ穴の開き目も捕集部材３０と同様である。
【００２３】
この捕集部材によれば、熱交換器９表面の１次側空間１９側に付着していた夾雑物Ｋも、洗浄により１次側空間１９側に落下して捕集部材３１により捕集することが可能となる。また、空調用室内機１の通常の冷房運転中に、ドレン水とともに、熱交換器９の表面やフィン９Ｃ，９Ｃ間から１次側空間１９側に流れ落ちた夾雑物Ｋも、捕集部材３１のＬの字の短辺平面で捕集することができる。
【００２４】
実施の形態４．
次に、蓋部材２９の別の態様を示した実施の形態４を図９により説明する。
図９に示すように、蓋部材２９を櫛状構造とし、この蓋部材２９の櫛の根元を熱交換器９の下端部９Ａにヒンジ部２９ａを介して前後揺動自在に取り付け、櫛の揺動先端をドレンパン２２に当接させる構成とすれば、実施形態１と同様の効果を得ることができる。この櫛状の蓋部材２９とほぼ同じ平面形状および面積を有する薄いゴム板（符号付け省略）を、蓋部材２９の平面に重ねて配置しヒンジ部２９ａの近傍で蓋部材２９に固着すれば、櫛状の蓋部材２９からの空気の通過を防止することが可能となる。
【００２５】
実態の形態５．
次に、上記した蓋部材２９、捕集部材３０、捕集部材３１を用いない場合の実施の形態５を図１０により説明する。
図１０に示す空調用室内機は、蓋部材２９、捕集部材３０、捕集部材３１を用いていない。すなわち、ドレンパン２２上に土台板２７を立設し、この土台板２７に熱交換器９の側板部９Ｂを乗せて固定することにより、ドレンパン２２と熱交換器９の下端部９Ａとの間に、隙間部４０を形成してある。このように、隙間部４０を設けるだけでも、２次側空間２０の夾雑物Ｋを隙間部４０から１次側空間１９側のドレンパン２２上に導くことができる。この場合、熱交換器９の下端部９Ａとドレンパン２２との隙間部４０の隙間幅については、１次側空間１９と２次側空間２０との圧損などの関係から１０ｍｍ程度にすることが、運転中における空気の１次側空間１９からのショートリークを最小限に抑えるうえで好ましい。
【符号の説明】
【００２６】
１  空調用室内機
８  本体ケーシング
９  熱交換器
９Ａ  下端部
９Ｂ  側面部
９Ｃ  フィン
１０  送風機
１９  １次側空間
２０  ２次側空間
２１  空気吸込口
２２  ドレンパン
２８  空気吹出口
２９  蓋部材
２９ａ  ヒンジ部
２９ｂ  ヒンジ部
２９ｃ  取付け部
２９ｄ  揺動片
３０  捕集部材
３１  捕集部材
４０  隙間部
Ｋ    夾雑物
【図１】
2013245851.tif 000003
【図２】
2013245851.tif 000004
【図３】
2013245851.tif 000005
【図４】
2013245851.tif 000006
【図５】
2013245851.tif 000007
【図６】
2013245851.tif 000008
【図７】
2013245851.tif 000009
【図８】
2013245851.tif 000010
【図９】
2013245851.tif 000011
【図１０】
2013245851.tif 000012